(57)【要約】【課題】  カード挿入口からカード処理通路内へ異物が挿入されることを規制するとともに、使用中に停電になったとしてもカード処理通路内からカードを取り出すことができるようにする。【解決手段】  シャッタ１２はカード挿入口兼排出口７ａから異物が挿入されたときには、ストッパ片２４により揺動が規制されている。カードＰがカード挿入口兼排出口７ａから挿入されると、カード検知レバー８が検知し、第１のソレノイド１８が通電されストッパ片２４によるシャッタ１２の揺動規制を解除する。カードＰがカード処理通路６内に取り込まれると、第１のソレノイド１８への通電が遮断され、シャッタ１２はストッパ片２４により揺動が規制される。カード挿入後に停電したときには、手動によりダイヤルノブを回し第１の駆動ローラ３５を回転させ、カードＰを矢印Ｂ方向移動させる。移動するカードＰによってシャッタ１２は軸１３を中心に時計方向へ回動し倒伏し、カードＰはカード挿入兼排出口７ａから排出される。【選択図】  図６
2005135160.tif 000002
【特許請求の範囲】
【請求項１】
カード挿入口兼排出口と、
このカード挿入口兼排出口に連通するカード処理通路と、
このカード処理通路内に搬送されたカードを処理するカード処理手段と、
揺動自在に支持され前記カード挿入口兼排出口を開閉するシャッタと、
このシャッタの前記カード挿入口兼排出口と反対側に設けられ、このシャッタに係合しシャッタの開き動作を規制するストッパと、
このストッパをシャッタに係合する方向に付勢する付勢手段と、
この付勢手段の付勢力に抗して前記ストッパをシャッタに係合する位置から係合を解除する位置に移動させる駆動手段と、
前記カード挿入口兼排出口に挿入されたカードを検出し前記駆動手段を作動させる第１のセンサと、
前記シャッタを通過し前記カード処理通路内にカードが取り込まれたことを検出し前記駆動手段の作動を解除する第２のセンサとを備えたことを特徴とするカード処理装置。
【請求項２】
請求項１記載のカード処理装置において、
前記ストッパを前記カード処理通路の幅方向に移動自在に支持し、このストッパのカード処理通路側に、開いた状態から閉じる前記シャッタに係合しシャッタの閉じる動作に追従してシャッタを前記付勢手段に抗して移動させるカム面を設けたことを特徴とするカード処理装置。
【発明の詳細な説明】
【技術分野】
【０００１】
本発明は、１枚目のカードがカード挿入口兼排出口からカード処理通路に挿入された後、２枚目のカードがカード処理通路内へ挿入されるのを規制するシャッタを備えたカード処理装置に関するものである。
【背景技術】
【０００２】
従来のカード処理装置は、カード挿入口兼排出口を開閉し揺動自在に支持されたシャッタフラッパと、このシャッタフラッパのカード処理通路側においてシャッタフラッパに係合するピンを有するソレノイドとを備え、１枚目のカードがカード挿入口兼排出口からカード処理通路に挿入された後、ソレノイドを作動させピンをシャッタフラッパに係合させることにより２枚目のカードがカード処理通路内へ挿入されるのを規制している（例えば、特許文献１参照）。また、カード処理装置が使われている公衆電話機においては、非使用状態の時にはカード挿入口をロック板によって閉塞し、オフフック操作するとソレノイドに通電されロック板がカード挿入口を開放し、カード挿入口からカード処理通路内にカードが挿入されると、再びロック板によってカード挿入口が閉塞され２枚目のカードの挿入を規制するものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−１４４２９号公報（段落「００１７」〜「００１９」、図３，６，７）
【特許文献２】特開平１１−３１１９６号公報（段落「００２９」〜「００３１」、図７）
【発明の開示】
【発明が解決しようとする課題】
【０００３】
上述した従来のカード処理装置のうち、前者の装置においては、未使用の状態においてソレノイドへの通電はされていないので、シャッタフラッパは揺動が可能な状態になっている。このため、カードの代わりに異物がカード挿入口兼排出口からカード処理通路内に挿入されるおそれがあり、異物の挿入がカード搬送路内の構成部品の破損や動作不良の原因になっていた。また、後者の装置においては、カード挿入口を開放するためにロック板を回動させるのに、ソレノイドへの通電によって行う構造としているために、カードがカード処理通路内に挿入された後、停電が発生するとカード処理通路内からカードを取り出すことができなくなるという問題があった。
【０００４】
本発明は上記した従来の問題に鑑みなされたものであり、その目的とするところは、カード挿入口からカード処理通路内へ異物が挿入されることを規制するとともに、使用中に停電になったとしてもカード処理通路内からカードを取り出すことができるカード処理装置を提供することにある。
【課題を解決するための手段】
【０００５】
この目的を達成するために、請求項１に係る発明は、カード挿入口兼排出口と、このカード挿入口兼排出口に連通するカード処理通路と、このカード処理通路内に搬送されたカードを処理するカード処理手段と、揺動自在に支持され前記カード挿入口兼排出口を開閉するシャッタと、このシャッタの前記カード挿入口兼排出口と反対側に設けられ、このシャッタに係合しシャッタの開き動作を規制するストッパと、このストッパをシャッタに係合する方向に付勢する付勢手段と、この付勢手段の付勢力に抗して前記ストッパをシャッタに係合する位置から係合を解除する位置に移動させる駆動手段と、前記カード挿入口兼排出口に挿入されたカードを検出し前記駆動手段を作動させる第１のセンサと、前記シャッタを通過し前記カード処理通路内にカードが取り込まれたことを検出し前記駆動手段の作動を解除する第２のセンサとを備えたものである。
また、請求項２に係る発明は、請求項１に係る発明において、前記ストッパを前記カード処理通路の幅方向に移動自在に支持し、このストッパのカード処理通路側に、開いた状態から閉じる前記シャッタに係合しシャッタの閉じる動作に追従してシャッタを前記付勢手段に抗して移動させるカム面を設けたものである。
【発明の効果】
【０００６】
請求項１に係る発明によれば、カード挿入口からカード処理通路内への異物の挿入を規制できるため、カード処理通路内の構成部品の破損または動作不良を防止することができる。また、使用中に停電になったとしてもカード処理通路内からカードを取り出すことができるため使い勝手が向上し、かつ駆動手段の省電力化を図ることができる。
請求項２に係る発明によれば、ストッパによるシャッタのロッキングを解除し、カード処理通路内に挿入されたカードを強制的にカード挿入口兼排出口から取り出すことができるため使い勝手が向上する。
【発明を実施するための最良の形態】
【０００７】
以下、本発明の実施の形態を図に基づいて説明する。図１は本発明に係るカード処理装置の平面図、図２は図１におけるII-II 線断面図、図３は同じく要部の平面図でソレノイドに励磁されていない状態を示し、図４は図３におけるIV-IV 線断面図でカードがカード処理通路内に挿入されていない状態を示し、図５は同じく要部の平面図でソレノイドに通電し励磁された状態を示し、図６は図５におけるVI-VI 線断面図でカードがカード挿入口兼排出口に挿入された状態を示し、図７は図３におけるVII-VII 線断面図でカードがシャッタを開いてカード処理通路内に挿入された状態を示し、図８は図３におけるVII-VII 線断面図でカードがシャッタを開いカード挿入口兼排出口から排出される状態を示し、図９は図３におけるVII-VII 線断面図でシャッタがストッパによってロッキングされた状態を示し、図１０は同じくシャッタがストッパによってロッキングされた状態を示す要部のみを抜粋した斜視図である。
【０００８】
図１および図２において、全体を符号１で示すカード処理装置は、下方が開口したロアーケース２と、上方が開口したアッパーケース３とによって構成されており、ロアーケース２の上板４のカード搬送面４ａと、アッパーケース３の底板５のカード搬送面５ａとによって矢印Ａ−Ｂ方向に延在するカード処理通路６が形成されている。
【０００９】
ロアーケース２の前端部には、カード挿入口部材７が取り付けられており、このカード挿入口部材７にはカード処理通路６に連通するカード挿入口兼排出口７ａが設けられている。８は軸９を揺動中心としてロアーケース２に揺動自在に支持されたカード検知レバーであって、付勢手段（図示せず）の付勢力によって軸９を中心として図２中反時計方向に付勢されており、上端側に設けた検知部８ａがロアーケース２の上板４の切欠き４ｂから、カード挿入口兼排出口７ａと後述するシャッタとの間に位置するようにカード処理通路６に臨んでいる。この検知レバー８は、図１に示すように、平面視において幅が小さく形成され、カード処理通路６の幅方向の一方側の端部に配設されている。また、このカード検知レバー８の下端側には、第１のセンサ１０をＯＮ，ＯＦＦさせる動作部８ｂが設けられており、カード挿入口兼排出口７ａから挿入されたカードＰが検知部８ａに係合すると、検知レバー８は軸９を中心として時計方向に揺動し、第１のセンサ１０がＯＮとなり、後述する第１のソレノイド１８が励磁される。
【００１０】
１２は軸１３を中心として揺動自在に支持されたシャッタであって、図２に示すように、検知レバー８の検知部８ａよりもカード挿入側、すなわち矢印Ａ方向側においてカード処理通路６に臨んでおり、このシャッタ１２はカード処理通路６の幅方向の全体に延在するように、図１０に示すように、細長い長方形に形成されている。このシャッタ１２は、図７に示すように、下端とばね掛け止め部材１４との間に懸架された引張りコイルばね１５によって、図２に示す上方を指向する中立状態を保持している。この中立状態から、図７に示すように、カード挿入口兼排出口７ａから挿入されたカードＰの矢印Ａ方向への移動によって、引張りコイルばね１５の引張力に抗して軸１３を中心として反時計方向に回動してカード処理通路６内で倒伏する。
【００１１】
また、中立状態から、図８に示すように、カード挿入口兼排出口７ａから排出されるカードＰの矢印Ｂ方向への移動によって、引張りコイルばね１５の引張力に抗して軸１３を中心として時計方向に回動してカード処理通路６内で倒伏する。シャッタ１２の上端の中央部には、図１０に示すように、係合突起１２ａが上方に向かって一体に突設されており、この係合突起１２ａは、シャッタ１２が中立状態のときに、アッパーケース３の底板５の窓５ｂから底板５の上方に突出している。１６はロアーケース２内に実装されたプリント基板であって、このプリント基板１６には、ばね掛け止め部材１４が設けられ、上述した第１のセンサ１０および電子部品（図示せず）が搭載されている。
【００１２】
図２および図３において、１８はアッパーケース３に取り付けられた駆動手段としてのシャッタストッパ解除用の第１のソレノイドであって、カード処理通路６の幅方向である矢印Ｃ−Ｄ方向に進退するロッド１９を備えており、このロッド１９の先端部には、カード搬送方向である矢印Ａ−Ｂ方向に延在するピン２０の一端が固定されている。２１はロッド１９に巻回された付勢手段としての圧縮コイルばねであって、ロッド１９を矢印Ｃ方向へ前進する方向へ付勢しており、ソレノイド１８に通電し励磁するとロッド１９が圧縮コイルばね２１の弾発力に抗して矢印Ｄ方向に後退する。２２はアッパーケース３の底板５に立設された規制片であって、前進するロッド１９が係合しロッド１９を所定位置に停止させる。
【００１３】
２４は細長い扁平部材によって形成されたストッパ片であって、シャッタ１２のカード挿入口兼排出口７ａの反対側において、アッパーケース３の底板５に互いに対向するように立設されたガイド片２５，２６によって矢印Ｃ−Ｄ方向へ移動自在に支持されており、一端部にピン２０の他端部が固定されている。このストッパ片２４の中央部には、シャッタ１２側、すなわち矢印Ｂ方向に向かって係合部２７が一体に突設されており、この係合部２７の矢印Ｂ方向の端部には、矢印Ｃ−Ｄ方向に延在し、上記したシャッタ１２の係合突起１２ａに係合する係合面２７ａが形成されている。また、この係合部２７の矢印Ｃ方向の端面は、矢印Ｂ方向に向かって矢印Ｃ方向に傾斜したカム面２７ｂが形成されている。
【００１４】
このような構成において、第１のソレノイド１８に励磁されていないときには、ロッド１９が圧縮コイルばね２１の弾発力によって矢印Ｃ方向へ前進し、ストッパ片２４がピン２０を介して矢印Ｃ方向へ移動しており、ストッパ片２４の係合部２７の係合面２７ａが、図３に示すように、シャッタ１２の係合突起１２ａに対向する。したがって、シャッタ１２が軸１３を中心として反時計方向へ回動すると、シャッタ１２の係合突起１２ａが、ストッパ片２４の係合部２７の係合面２７ａに係合し、シャッタ１２の反時計方向への回動を規制する。
【００１５】
一方、第１のソレノイド１８に通電し励磁すると、ロッド１９が圧縮コイルばね２１の弾発力に抗して矢印Ｄ方向へ後退し、ストッパ片２４もピン２０を介して矢印Ｄ方向へ移動するため、ストッパ片２４の係合部２７の係合面２７ａが、図５に示すように、シャッタ１２の係合突起１２ａと対向した位置から移動する。したがって、シャッタ１２の軸１３を中心として反時計方向への回動が可能になる。図１において、２９は第２のセンサであって、シャッタ１２と後述する第１のピンチローラ４１との間に設けられており、カード処理通路６内を搬送されたカードＰの後端を検出することにより、ソレノイド１８への通電を遮断する。
【００１６】
図２において、３０は正・逆方向へ駆動するカード搬送用のモータであって、このモータ３０の駆動は減速歯車列３１およびベルト３２を介してプーリ３３に伝達され、このプーリ３３は駆動軸３４の一端に軸着され、駆動軸３４の他端側には第１の駆動ローラ３５が軸着されている。この第１の駆動ローラ３５はカード挿入口兼排出口７ａ側に設けられ、この第１の駆動ローラ３５の上端はロアーケース２の上板４に設けた窓４ｃからカード処理通路６に臨んでいる。３６はダイヤルノブであって、カード処理通路６内でカードが詰まった場合に、手によってダイヤルノブ３６を回すことにより、手動によって第１の駆動ローラ３５を回転させることができ、詰まったカードをカード挿入口兼排出口７ａから排出することが可能になる。
【００１７】
３７は駆動軸３８の一端に軸着されたプーリであって、このプーリ３７とプーリ３３との間にベルト３９が張架されており、駆動軸３８の他端側には第２の駆動ローラ４０が軸着され、この第２の駆動ローラ４０はモータ３０を駆動源として、駆動ローラ３５と同期して同じ方向に回転する。この第２の駆動ローラ４０の上端はロアーケース２の上板４に設けた窓４ｄからカード処理通路６に臨んでいる。
【００１８】
４１はアッパーケース３側に回転自在に支持された第１のピンチローラであって、下端がアッパーケース３の底板５に設けた窓５ｂからカード処理通路６に臨み、付勢手段によって第１の駆動ローラ３５に押圧されている。４２はアッパーケース３側に回転自在に支持された第２のピンチローラであって、下端がアッパーケース３の底板５に設けた窓５ｃからカード処理通路６に臨み、付勢手段によって第２の駆動ローラ４０に押圧されている。
【００１９】
４３は下部側にＩＣ接点４４と係合部４５とを備えたカードを処理するＩＣ接点スライダであって、底板５に立設したガイド壁４６のガイド溝（図示せず）によって、アッパーケース３の底板５に設けた窓５ｄからカード処理通路６に進退自在かつ矢印Ａ−Ｂ方向へ移動自在に支持され、カードＰの矢印Ａ方向への搬送に追従して矢印Ａ方向に移動するととも降下する。すなわち、このＩＣ接点スライダ４３は、引張りコイルばね４７によって矢印Ｂ方向へ付勢されており、ＩＣ接点スライダ用の第２のソレノイド４８によって揺動する揺動部材４９によって、前端側に設けた係合部４５がカード処理通路６に進出するように揺動する。したがって、カード処理通路６内を矢印Ａ方向に搬送されるカードＰの前端が係合部４５に係合し、カードＰの矢印Ａ方向への搬送に追従して矢印Ａ方向へ移動するとともに降下し、カードＰの電極にＩＣ接点４４が接触してカードＰに記録されたデータの処理が行われる。
【００２０】
次に、このような構成のカード処理装置におけるカード処理動作について説明する。
【００２１】
カードＰがカード挿入口兼排出口７ａに挿入されていない未使用の状態においては、第１のソレノイド１８へは通電されてなく、ロッド１９は圧縮コイルばね２１の弾発力によって、図３に示すように、矢印Ｃ方向へ前進しており、ストッパ片２４の係合部２７の係合面２７ａがシャッタ１２の係合突起１２ａに対向している。したがって、この状態で、カード挿入口兼排出口７ａから異物を故意または誤って挿入しようとしても、シャッタ１２の係合突起１２ａが係合面２７ａに係合するため、シャッタ１２は軸１３を中心として図４中反時計方向への回動が規制される。このため、異物のカード処理通路６への挿入が規制されるから、カード処理通路６内の構成部品の破損または動作不良を防止することができる。
【００２２】
次に、カードＰをカード挿入口兼排出口７ａから挿入すると、図６に示すように、カードＰの前端がカード検知レバー８の検出部８ａに係合し、カード検知レバー８が軸９を中心として時計方向に回動するので、動作部８ｂによって第１のセンサ１０がＯＮし、第１のソレノイド１８が励磁される。したがって、図５に示すように、ロッド１９が圧縮コイルばね２１の弾発力に抗して矢印Ｄ方向へ後退し、ストッパ片２４もピン２０を介して矢印Ｄ方向へ移動するため、ストッパ片２４の係合部２７の係合面２７ａが、シャッタ１２の係合突起１２ａと対向した位置から移動する。このため、シャッタ１２の軸１３を中心として反時計方向への回動が可能になるから、カードＰをさらに矢印Ａ方向へ挿入すると、カードＰの前端によってシャッタ１２が軸１３を中心として、図７に示すように、反時計方向に回動して倒伏する。
【００２３】
カードＰの前端が第２のセンサ２９によって検出されると、モータ３０が正方向に駆動し、カードＰの前端が第１の駆動ローラ３５と第１のピンチローラ４１との対接部まで挿入されると、これら両ローラ３５，４１によってカードＰが矢印Ａ方向へ搬送される。同時に、第２のソレノイド４８が駆動し揺動部材４９の揺動によってＩＣ接点スライダ４３の係合部４５がカード処理通路６内に進出する。したがって、矢印Ａ方向へ搬送されるカードＰの前端が係合部４５に係合するので、カードＰの搬送に追従してＩＣ接点スライダ４３も矢印Ａ方向に移動し、ガイド壁４６のガイド溝によって案内されて降下するので、ＩＣ接点スライダ４３のＩＣ接点４４がカードＰの電極（図示せず）と接触した状態で、モータ３０の駆動が停止しカードＰの搬送が停止する。この状態で、ＩＣ接点スライダ４３のＩＣ接点４４とカードＰの電極との間でカードＰに記録されたデータが処理される。
【００２４】
このとき、カードＰの後端を第２のセンサ２９が検出し、第１のソレノイド１８への通電が遮断され、ロッド１９が圧縮コイルばね２１の弾発力によって、図３に示すように矢印Ｃ方向へ前進するため、ストッパ片２４の係合部２７の係合面２７ａがシャッタ１２の係合突起１２ａに対向する。したがって、２枚目のカードをカード挿入口兼排出口７ａが挿入しても、シャッタ１２がストッパ片２４によって回動を規制されているため、シャッタ１２によって２枚目のカードがカード処理通路６内に挿入されるようなことがない。このため、ＩＣ接点スライダ４３によってカードＰのデータが処理されるされている間に、２枚目のカードの挿入が阻止されるから、ＩＣ接点スライダ４３によるデータの処理不良を防止することができる。
【００２５】
ＩＣ接点スライダ４３によるデータの処理が終了すると、モータ３０が逆方向に駆動し、第１の駆動ローラ３５と第１のピンチローラ４１とによって、カードＰが矢印Ｂ方向へ搬送され、図８に示すように、カードＰの後端によってシャッタ１２が軸１３を中心として時計方向に回動し倒伏するので、カードＰはカード挿入口兼排出口７ａから排出される。ここで、ＩＣ接点スライダ４３によるデータの処理中に停電した場合またはカードＰがカード処理通路６内で詰まった場合には、手によってダイヤルノブ３６を回し、第１の駆動ローラ３５を、図８において時計方向に回転させることにより、カードＰをカード挿入口兼排出口７ａから排出することができる。また、第１のソレノイド１８を励磁する時間は、カードＰがカード処理通路６内でＩＣ接点スライダ４３によってカードのデータを処理しているときだけであり、その他のときは、圧縮コイルばね２１の弾発力によってストッパ片２４によってシャッタ１２の回動を規制している。したがって、第１のソレノイド１８を励磁している時間が最小限となり、省電力化を図ることができる。
【００２６】
次に、図９および図１０を用いて、ストッパ片２４によってシャッタ１２がロッキングを起こしたときの解除動作を説明する。
【００２７】
すなわち、図１０に示すように、カード挿入口兼排出口７ａから挿入されたカードＰによってシャッタ１２が二点鎖線で示すように回動し、図９に示すようにカードＰの後端がシャッタ１２を通過したときに停電すると、第１のソレノイド１８への通電が遮断される。したがって、ストッパ片２４が圧縮コイルばね２１の弾発力によって、図１０中矢印Ｃ方向へ移動するため、引張りコイルばね１５の引張力によって軸１３を中心として図９中時計方向へ回動しようとするシャッタ１２の回動を規制するように係合突起１２ａが、ストッパ片２４のカム面２７ｂに係合するので、シャッタ１２が中立の位置に復旧しない状態となってロッキングを起こし、カードＰをカード挿入口兼排出口７ａから排出できない状態となる。
【００２８】
この場合、手によってダイヤルノブ３６を回しカードＰを矢印Ｂ方向へ移動させると、カードＰの後端が係合するシャッタ１２は軸１３を中心として時計方向へ回動しようとし、係合突起１２ａによってカム面２７ｂが押圧される。このとき、係合突起１２ａが係合しているカム面２７ｂが、矢印Ｂ方向に向かって矢印Ｃ方向に傾斜するように形成されているため、引張りコイルばね１５の引張力に抗してストッパ片２４を矢印Ｄ方向へ移動させる分力が発生する。したがって、ストッパ片２４によるシャッタ１２のロッキング状態が解除され、シャッタ１２が中立の位置に復旧するため、さらにダイヤルノブ３６を回しカードＰを矢印Ｂ方向へ移動させることにより、カードＰがカード挿入兼排出口７ａから排出される。このように、ストッパ片２４によるシャッタ１２のロッキングを解除し、カード処理通路６内に挿入されたカードＰを強制的にカード挿入口兼排出口７ａから取り出すことができるため使い勝手が向上する。
【図面の簡単な説明】
【００２９】
【図１】本発明に係るカード処理装置の平面図である。
【図２】図１におけるII-II 線断面図である。
【図３】本発明に係るカード処理装置における要部の平面図でソレノイドが励磁されていない状態を示す。
【図４】図３におけるIV-IV 線断面図でカードがカード処理通路内に挿入されていない状態を示す。
【図５】本発明に係るカード処理装置における要部の平面図でソレノイドに通電し励磁した状態を示す。
【図６】図５におけるVI-VI 線断面図でカードがカード挿入口兼排出口に挿入された状態を示す。
【図７】図３におけるVII-VII 線断面図でカードがシャッタを開いてカード処理通路内に挿入された状態を示す。
【図８】図３におけるVII-VII 線断面図でカードがシャッタを開いカード挿入口兼排出口から排出される状態を示す。
【図９】図３におけるVII-VII 線断面図でシャッタがストッパによってロッキングされた状態を示す。
【図１０】本発明に係るカード処理装置において、シャッタがストッパによってロッキングされた状態を示す要部のみを抜粋した斜視図である。
【符号の説明】
【００３０】
１…カード処理装置、６…カード処理通路、７ａ…カード挿入口兼排出口、８…カード検知レバー、１０…第１のセンサ、１２…シャッタ、１２ａ…係合突起、１８…第１のソレノイド（駆動手段）、２１…圧縮コイルばね（付勢手段）、２４…ストッパ片、２７ａ…係合面、２７ｂ…カム面、２９…第２のセンサ、３５…第１の駆動ローラ、４０…第２の駆動ローラ、４３…ＩＣ接点スライダ。
【図１】
2005135160.tif 000003
【図２】
2005135160.tif 000004
【図３】
2005135160.tif 000005
【図４】
2005135160.tif 000006
【図５】
2005135160.tif 000007
【図６】
2005135160.tif 000008
【図７】
2005135160.tif 000009
【図８】
2005135160.tif 000010
【図９】
2005135160.tif 000011
【図１０】
2005135160.tif 000012